(57)【要約】  薄板パネル組立体。一実施形態において、トラスとして形成され、非剛性の薄板構成要素を有する、実質的に剛性の薄板パネル組立体５０が、選択された平面状の領域及び形状を有する薄板構成要素５１と、薄板構成要素と実質的に同様の平面状の形状及び領域を有するバッカー６０と、それぞれがバッカーから薄板構成要素の裏面に結合された遠位端部まで延びる選択された高さ及び構造形を有する複数の立上り要素６４とを含み、立上り要素は、薄板構成要素の選択された方向で組立体に実質的な剛性を生み出す配列で形成及び配設されており、そして薄板パネル組立体はさらに、棒部材７８を含み、棒部材は、バッカーに結合され、複数の立上り要素のうちの少なくとも一対の隣接する立上り要素間に延びている。
2013508668.tif 000002
【特許請求の範囲】
【請求項１】
トラスとして形成され、非剛性の薄板構成要素を有する、実質的に剛性の薄板パネル組立体であって、該薄板パネル組立体が、選択された平面状の領域及び形状を有する、前記トラスの第１弦材である前記薄板構成要素と、前記薄板構成要素と実質的に同様の平面状の形状及び領域を有する、前記トラスの第２弦材であるバッカーと、それぞれが前記バッカーから前記薄板構成要素の裏面に結合された遠位端部まで延びる選択された高さ及び構造形を有する複数の立上り要素とを具備し、前記立上り要素は、前記トラスの斜材であって、前記薄板構成要素の選択された方向で該組立体に実質的な剛性を生み出す配列で形成及び配設されており、該薄板パネル組立体は棒部材をさらに具備し、前記棒部材は、前記バッカーに結合され、前記複数の立上り要素のうちの少なくとも一対の隣接する立上り要素間に延びている、薄板パネル組立体。
【請求項２】
前記複数の立上り要素は、前記薄板構成要素と前記バッカーとが本質的に同心の湾曲を有するように、前記バッカーから実質的に均一な高さを有している、請求項１に記載の薄板パネル組立体。
【請求項３】
前記薄板構成要素の表面がパラボラ円筒形凹面状湾曲を有している、請求項２に記載の薄板パネル組立体。
【請求項４】
前記薄板構成要素がガラス層を含む、請求項１に記載の薄板パネル組立体。
【請求項５】
前記バッカーは、バッカー板によって形成されており、前記立上り要素は、前記バッカー板から折り曲げられて前記バッカー板との一体的な結合部を有するバッカー板の部分によって形成されている、請求項１に記載の薄板パネル組立体。
【請求項６】
前記立上り要素を形成する前記バッカー板の部分は、実質的に砂時計形の形状を有しており、前記バッカー板との一体的な結合部は、前記砂時計形の形状の基部にある、請求項５に記載の薄板パネル組立体。
【請求項７】
前記立上り要素と前記バッカー板との前記一体的な結合部が実質的に平行な線に沿って離間されており、そして前記立上り要素は実質的に平行な平面内にある、請求項６に記載の薄板パネル組立体。
【請求項８】
前記棒部材は前記実質的に平行な平面の間に延びている、請求項７に記載の薄板パネル組立体。
【請求項９】
前記複数の立上り要素が、その遠位端部に、前記立上り部の高さから側方に配設された結合タブを形成している、請求項５に記載の薄板パネル組立体。
【請求項１０】
前記複数の立上り要素が、その遠位端部に、前記立上り部の高さから側方に配設された結合タブのそれぞれの対を形成しており、結合タブの各対の前記結合タブが、前記立上り要素の遠位端部から互いに反対方向に延びている、請求項５に記載の薄板パネル組立体。
【請求項１１】
前記バッカー板がアルミニウムを具備する、請求項５に記載の薄板パネル組立体。
【請求項１２】
前記立上り要素の遠位端部と前記薄板構成要素の裏面との結合部が、接合された結合部である、請求項１に記載の薄板パネル組立体。
【請求項１３】
前記薄板構成要素が、主として、選択された合成樹脂材料から成る基板層を含む、請求項１に記載の薄板パネル組立体。
【請求項１４】
前記薄板構成要素が電磁放射線を反射する、請求項１に記載の薄板パネル組立体。
【請求項１５】
前記薄板構成要素が太陽放射線を反射する、請求項１に記載の薄板パネル組立体。
【請求項１６】
前記薄板構成要素の、裏面とは反対側の第１表面が、ソーラー発電施設のレシーバ上に太陽光を導き集中させるための、選択された曲率を有する湾曲反射面の少なくとも一部を含む、請求項１に記載の薄板パネル組立体。
【請求項１７】
前記棒部材が、前記湾曲反射面を支持するトラフ・フレームに取り付け可能である、請求項１６に記載の薄板パネル組立体。
【請求項１８】
前記棒部材が六角形断面形状を有している、請求項１に記載の薄板パネル組立体。
【請求項１９】
薄板パネルを支持するための実質的に剛性の構造形を有する支持構造であって、該支持構造が、バッカー板と、複数の立上り要素とを具備し、前記立上り要素は、前記バッカー板に結合された近位端部から遠位端部へ第１の方向で延びる高さを有するとともに、実質的に平行な立上り平面内の行に沿った長さを有し、前記立上り要素の遠位端部は、前記薄板パネルを支持するために前記薄板パネルに取り付け可能であるとともに、前記立上り平面に対して実質的に平行な第２の方向で前記薄板パネルの剛性を増大させ、前記バッカー板はトラスの第１弦材であるように形成され、前記立上り要素は前記トラスの斜材であるように形成されており、前記薄板パネルは、前記トラスの第２弦材であり、該支持構造は、前記複数の立上り要素のうちの少なくとも一対の隣接する立上り要素間に延びる棒部材をさらに具備し、前記隣接する立上り要素の対が、前記行のうちの同一行内にある、支持構造。
【請求項２０】
前記棒部材が、前記第１及び第２の方向に対して実質的に垂直な第３の方向で、前記行間に延びている、請求項１９に記載の支持構造。
【請求項２１】
前記立上り要素は、前記バッカー板から折り曲げられて前記バッカー板との一体的な結合部を有するバッカー板の部分によって形成されており、そして前記バッカー板の部分は、実質的に砂時計形の形状を有していて、前記バッカー板との一体的な結合部は、前記砂時計形の形状の基部にある、請求項１９に記載の支持構造。
【請求項２２】
非剛性の薄板構成要素を有する、実質的に剛性の薄板パネル組立体であって、該薄板パネル組立体が、選択された平面状の領域及び形状を有する前記薄板構成要素と、前記薄板構成要素と実質的に同様の平面状の形状及び領域を有するバッカーとを具備し、前記薄板構成要素が前記バッカーの第１表面に取り付けられており、前記バッカーは、前記薄板構成要素に向かって延びる複数のリブを含むバッカー板と、前記１表面及び前記第１表面とは反対側の第２表面から延びる複数の突出部を含む基板とを具備しており、前記複数の突出部の各々は、遠位端部にスロットを有するとともに、噛み合い継ぎ手を形成するために、前記複数のリブのうちの対応する一つのリブの端部を前記スロット内に受容している、実質的に剛性の薄板パネル組立体。
【請求項２３】
前記薄板構成要素の表面が、ソーラー発電施設のレシーバ上に太陽光を導き集中させるための、選択された曲率を有する湾曲反射面の少なくとも一部を含む、請求項２２に記載の薄板パネル組立体。
【発明の詳細な説明】
【技術分野】
【０００１】
本発明の実施形態の様相は、薄板パネル組立体に関し、そしてより具体的には、ソーラーコレクタでの使用に適合された薄板パネル組立体に関する。
【背景技術】
【０００２】
太陽光収集施設は、太陽エネルギーを利用するために太陽熱集中装置及び／又は光起電力パネルを活用する。可動パラボラ・トラフ型コレクタを利用する太陽熱集中装置組立体（ＳＣＡｓ：Solar concentrator assemblies）は、発電のための熱機械的変換プロセスにおける第１ステップとして、太陽を追跡し、そして捕捉された放射エネルギーを線状の集熱要素（ＨＣＥｓ：heat collection elements）上に集束するための広い反射表面積（アパーチャ）を提供する。太陽トラフ太陽発電施設は、太陽の大量の放射エネルギーを捕捉するために列をなして配置された多くのＳＣＡsを典型的に含んでいる。
【０００３】
ＳＣＡｓのトラフの反射面は、通常は、熱間成形された厚板ガラス鏡である。これらの鏡は所与の幾何学的形状、特に表面曲率に一致するのが理想的である。ソーラープラントの作動効率は、鏡が反射太陽光をＨＣＥ上に鋭く集束するように、表面曲率精度を維持する鏡の能力に大きく依存する。このことは、鏡の生産のための極めて正確な製造プロセス、及び支持体へ取り付けられたときの鏡自体の高い剛性を必要とする。このように、ガラスは典型的にはより厚く形成され、その結果鏡の重量はしばしば支持構造物の重量に匹敵することになる。
【０００４】
伝統的には、熱間成形ガラス鏡が、種々のソーラー集中用途、例えばネバダ州にあるネバダ・ソーラー・ワン（Nevada Solar One）ソーラー発電プラントに使用されている。ガラス鏡材料は熱間成形により、太陽光を反射してＨＣＥ上に集中させるために必要となる数学的形状（表面幾何学的形状）にされる。このような熱間成形ガラスは、垂下ガラス(sagged glass)としても知られている。垂下ガラスは厚く、重く、製造コストが高く、輸送して施設に設置するためのコストが高く、そして破損しやすい。
【０００５】
厚板ガラス鏡（又は利用される任意の他の反射器）は、集中された太陽光を効率的に集めるためにそれらの数学的形状を維持しなければならない。このことは熱間成形鏡ガラスが、鏡の形状を維持するのに十分な厚さを有することを必要とする（通常は約３〜５ミリメートル）。熱間ガラスの問題点は、ガラスが厚ければ厚いほど、鏡の反射効率を低下させ（太陽光の吸収率が高くなり反射率が低くなる）、製造関連の表面誤差限界（勾配誤差及びエッジ効果）を有し、ガラス材料量が増大することによりコスト高になり、そしてより重くなる結果、配送及び取り扱いの望ましくない問題が生じる。加えて、厚板材料は、ソーラー電力用途に必要な複雑な形状で形作ることが難しく、また界面に水を閉じ込め、この水が銀メッキを腐食することがある。
【０００６】
いくつかの事例では，薄板ガラス及び薄膜が、所望の曲率を有する予成形された基板又はアルミニウム板に直接に、又は所要の表面幾何学的形状を有して形作られたサンドイッチ・パネルに接合されている。サンドイッチ・パネルは通常、例えばハニカム構造形のような蜂の巣状コアに接合された二枚の薄板金属表面から成っている。薄板ガラス及び薄膜が、予成形された湾曲状の基板又は板に直接に接合されるか、又はハニカム及びその他のタイプのクローズドセル・パネル構造と組み合わせて接合されることの歴史的な問題は、高いコスト、及び風雨に晒されたときに水が侵入しやすいことである。閉じ込められた水は、好ましくはアルミニウムから成る構成要素を攻撃し、そして鏡の被覆体に浸透して鏡の銀メッキを腐食させる。
【発明の概要】
【課題を解決するための手段】
【０００７】
本発明の実施形態の様相は、薄板パネル組立体に関する。本発明による薄板パネル組立体の実施形態において、裏当て材料要素のトラスデザインは、薄板パネル組立体に剛性を提供する上で重要である。薄板パネル組立体の実施形態は、例えばガラス又は他の反射材料から成る薄板のような薄板パネルを、剛性又は実質的に剛性の構造形で維持する。さらに、本発明の薄板パネル組立体の実施形態を、例えば太陽熱集中装置組立体（ＳＣＡ）のソーラーコレクタ・トラフ内で利用することができる。
【発明の効果】
【０００８】
例えばＳＣＡにおいて利用されるような、本発明による薄板パネル組立体の実施形態の様相は、より軽い重量及びより低コストの反射面である。例えば、本発明の実施形態による薄板パネル組立体の薄板鏡パネルは、厚さ及び重量が下垂ガラスの約４分の１以下であり、また熱間成形なしで平らな構造形で製造され（しかし後で、所望の形状又は曲率へ「冷間成形」されてよい）、それ故より低いコストで製造され得る。薄板パネル組立体の実施形態の別の様相は、薄板ガラス又は薄膜の「冷間」成形が可能であることである。薄板パネル組立体の実施形態のさらに別の様相は、全体的な鏡の剛性がより大きいことであり、それ故例えばＳＣＡにおいて利用されたときの改善された精度である。薄板パネル組立体の実施形態のさらに別の様相は、設置の容易性の向上である。薄板パネル組立体の実施形態のさらに別の様相は、輸送コストの低減である。薄板パネル組立体の実施形態のさらに別の様相は、二次破損、例えば厚板ガラス構造に加えられる烈風の力から生じるかもしれない破損が排除又は低減されることである。薄板パネル組立体の実施形態のさらに別の様相は、既存のソーラートラフ又は他の装置と交換可能であること、又はこれらとの組み合わせで使用できることである。薄板パネル組立体の実施形態のさらに別の様相は、改善された反射性能である。薄板パネル組立体の実施形態のさらに別の様相は、湿分が排出又は蒸発するのを可能にする実質的に開いた構造様式であって、これにより組立体の構成要素間に湿分が蓄積されるのを防止又は阻止する構造様式である。
【０００９】
本発明の一つの模範的な実施形態によれば、トラスとして形成され、非剛性の薄板構成要素を有する、実質的に剛性の薄板パネル組立体が、選択された平面状の領域及び形状を有する、トラスの第１弦材である薄板構成要素と、薄板構成要素と実質的に同様の平面状の形状及び領域を有する、トラスの第２弦材であるバッカーと、それぞれがバッカーから薄板構成要素の裏面に結合された遠位端部まで延びる選択された高さ及び構造形を有する複数の立上り要素とを具備し、立上り要素は、トラスの斜材であって、薄板構成要素の選択された方向で組立体に実質的な剛性を生み出す配列で形成及び配設されており、薄板パネル組立体は棒部材をさらに具備し、棒部材は、バッカーに結合され、複数の立上り要素のうちの少なくとも一対の隣接する立上り要素間に延びている。
【００１０】
複数の立上り要素は、薄板構成要素とバッカーとが本質的に同心の湾曲を有するように、バッカーから実質的に均一な高さを有してよい。薄板構成要素の表面はパラボラ円筒形凹面状湾曲を有してよい。薄板構成要素はガラス層を含んでよい。
【００１１】
バッカーは、バッカー板によって形成されており、そして立上り要素は、バッカー板から折り曲げられてバッカー板との一体的な結合部を有するバッカー板の部分によって形成されてよい。一つの実施形態では、立上り要素を形成するバッカー板の部分は、実質的に砂時計形の形状を有しており、バッカー板との一体的な結合部は、砂時計形の形状の基部にある。一つの実施形態では、立上り要素とバッカー板との一体的な結合部が実質的に平行な線に沿って離間されており、そして立上り要素は実質的に平行な平面内にある。一つの実施形態では、棒部材は実質的に平行な平面の間に延びている。
【００１２】
複数の立上り要素が、その遠位端部に、立上り部の高さから側方に配設された結合タブを形成してよい。一つの実施形態では、複数の立上り要素が、その遠位端部に、立上り部の高さから側方に配設された結合タブのそれぞれの対を形成しており、結合タブの各対の結合タブが、立上り要素の遠位端部から互いに反対方向に延びている。バッカー板はアルミニウムを含んでよい。
【００１３】
立上り要素の遠位端部と薄板構成要素の裏面との結合部は、接合された結合部であってよい。薄板構成要素は、主として、選択された合成樹脂材料から成る基板層を含む。薄板構成要素は電磁放射線を反射し得る。一つの実施形態では、薄板構成要素は太陽放射線を反射する。
【００１４】
一つの実施形態では、薄板構成要素の、裏面とは反対側の第１表面が、ソーラー発電施設のレシーバ上に太陽光を導き集中させるための、選択された曲率を有する湾曲反射面の少なくとも一部を含む。棒部材が、湾曲反射面を支持するトラフ・フレームに取り付け可能であってよい。棒部材は六角形断面形状を有してよい。
【００１５】
本発明の別の模範的実施形態によれば、薄板パネルを支持するための実質的に剛性の構造形を有する支持構造が、バッカー板と、複数の立上り要素とを具備し、立上り要素は、バッカー板に結合された近位端部から遠位端部へ第１の方向で延びる高さを有するとともに、実質的に平行な立上り平面内の行に沿った長さを有し、立上り要素の遠位端部は、薄板パネルを支持するために薄板パネルに取り付け可能であるとともに、立上り平面に対して実質的に平行な第２の方向で薄板パネルの剛性を増大させ、バッカー板はトラスの第１弦材であるように形成され、立上り要素はトラスの斜材であるように形成されており、薄板パネルは、トラスの第２弦材であり、支持構造は、複数の立上り要素のうちの少なくとも一対の隣接する立上り要素間に延びる棒部材をさらに具備し、隣接する立上り要素の対が、行のうちの同一行内にある。
【００１６】
棒部材が、第１及び第２の方向に対して実質的に垂直な第３の方向で、行間に延びていてよい。一つの実施形態では、立上り要素は、バッカー板から折り曲げられてバッカー板との一体的な結合部を有するバッカー板の部分によって形成されており、そしてバッカー板の部分は、実質的に砂時計形の形状を有していて、バッカー板との一体的な結合部は、砂時計形の形状の基部にある。
【００１７】
本発明の別の模範的実施形態によれば、非剛性の薄板構成要素を有する、実質的に剛性の薄板パネル組立体が、選択された平面状の領域及び形状を有する薄板構成要素と、薄板構成要素と実質的に同様の平面状の形状及び領域を有するバッカーとを具備し、薄板構成要素がバッカーの第１表面に取り付けられており、バッカーは、薄板構成要素に向かって延びる複数のリブを含むバッカー板と、１表面及び第１表面とは反対側の第２表面から延びる複数の突出部を含む基板とを具備しており、複数の突出部の各々は、遠位端部にスロットを有するとともに、噛み合い継ぎ手を形成するために、複数のリブのうちの対応する一つのリブの端部をスロット内に受容している。
【００１８】
一つの実施形態では、薄板構成要素の表面が、ソーラー発電施設のレシーバ上に太陽光を導き集中させるための、選択された曲率を有する湾曲反射面の少なくとも一部を含む。
【００１９】
一例として本発明の模範的実施形態の構成及び特徴を示す添付の図面とともに下記詳細な説明から、本発明の実施形態の他の特徴及び利点が明らかになるだろう。
【００２０】
本発明の上記及びその他の構成、特徴、及び利点は、下記説明、添付の特許請求の範囲、及び添付の図面に関連してよりよく理解することができるだろう。
【図面の簡単な説明】
【００２１】
【図１】図１は、典型的な湾曲トラスデザインの模式的正面図である。
【図２】図２は、太陽熱集中装置組立体の概略的斜視図である。
【図３】図３は、本発明の実施形態による薄板鏡のためのバッカーの部分平面図であり、前記バッカーは、例えば鏡パネル組立体の一構成要素を成すように形成されたものとして示されている。
【図４】図４は、図３のバッカーを、線４−４に沿って示す正面図である。
【図５】図５は、図３のバッカーを、鏡パネル組立体に組み立てられた状態で線５−５に沿って示す正面図であって、鏡パネル組立体は鏡パネル組立体のための支持体に取り付けられた状態で示されている。
【図６】図６は、本発明の別の実施形態による薄板パネル組立体の断面図である。
【発明を実施するための形態】
【００２２】
下記の詳細な説明において、本発明の或る特定の模範的実施形態を例証のために示し、説明する。当業者には明らかなように、記載の模範的実施形態には、本発明の思想及び範囲を逸脱することなしに種々の形で変更を加えることができる。従って、図面及び説明は、制限的ではなく例示的な性質のものとして見なされるべきである。さらに「上」、「下」、「頂部」、「底部」、「上方に向かって」、及び「下方に向かって」のような用語は、例えば図面に示されているように、構成要素又は構成要件の、他のものに対する位置及び／又は方向をより明確に記述する目的で使用される。しかしこのような用語の使用は、本発明の使用を特定の位置又は方向に限定するものと見なすように意図されてはいない。
【００２３】
本発明の実施形態は、２００７年１０月１８日付けで出願された米国特許仮出願第６０／９９９８３３号明細書；２００９年１０月２３日付けで出願された米国特許仮出願第６１／２７９６０２号明細書；米国特許出願公開第２００９／０１０１１９５号明細書；及び２００９年８月２５日付けで発行された米国特許第７５７８１０９号明細書；に記載された実施形態に関係する。これらのそれぞれの開示内容は引用することにより本明細書中に組み込まれる。
【００２４】
図１を参照すると、典型的な湾曲トラス構造１０が、上弦材１２と、下弦材１４と、斜材１６即ちレーシングとを含んでいる。斜材１６は、上弦材１２と下弦材１４との間で延在してこれらを種々様々な場所で結合することにより、トラス構造１０に強度及び剛性を提供している。
【００２５】
図２を参照すると、太陽熱集中装置組立体（ＳＣＡ）２０が、放射太陽エネルギーを収集するための一列に並んだパラボラ状、円筒湾曲状、又はその他の湾曲状の複数のトラフ２２を含んでいる。トラフ２２は、放射エネルギーを反射させて集熱管２５上に集束させるための反射面を有している。トラフ２２のそれぞれは、対応するトラフ・フレーム３０によって支持されている。トラフ・フレームは、管、棒部材、押し出し材、及び／又はトラフ２２及びこれらの反射面のそれぞれの重要な形状を支持して維持するのに適した任意のその他の構造部材から構成されてよい。トラフ・フレーム３０のそれぞれは、トラフ・フレーム３０を支持パイロン４０に結合して支持するための、各側に一つずつ配置された、２つのトルク・プレート３５を含んでいてよい。トルク・プレート３５は例えば、軸受け４５において支持パイロン４０に結合されている。
【００２６】
本発明のいくつかの模範的実施形態を、これらの特定の用途及び実際の使用との関連において、つまり光反射パネル組立体５０（図５参照）との関連においてここに説明する。光反射パネル組立体５０は、例えば、太陽熱発電施設において使用されるような、図２に示された上記ＳＣＡ２０のトラフ２２とともに用いられる、円筒湾曲状のトラフ様鏡の一部を形成するのに役立つ。すなわち、図２に示された上記ＳＣＡ２０のトラフ２２の反射面は、図５に示された薄板パネル組立体５０として具体化されてよい。薄板パネル組立体５０の構造形は、薄板鏡に剛性を提供するとともに、反射鏡面を、所望の曲率を有する形状に維持する。このようなものとして、トラフ２２の反射面は、太陽放射線を集束するための選択された曲率を維持するように形成されている。
【００２７】
一つの模範的実施形態では、パネル組立体５０の反射鏡の様相は薄板鏡５１である。薄板鏡５１は、厚さが薄いことにより可撓性である薄板ガラス鏡であるか、或いは光反射層を含む合成樹脂薄膜であってよい。いずれの場合においても、薄板鏡５１は構造基板５２に適切に接合されている。構造基板５２は板様の性質を有しており、そして鏡の意図された用途に望ましい最終曲率まで湾曲可能であるほどに十分に可撓性である。構造基板５２は薄板鏡５１と共にパネル組立体１０におけるトラス上弦材として機能する。図５において、模範的実施形態によれば、薄板鏡５１は厚さ約０．５ｍｍの薄膜鏡であり、この薄膜鏡は、鏡膜が被着及び固定される平滑な、特徴部のない表面を有する基板（例えばアルミニウム基板）によって支持されている。別の実施形態では、薄板鏡は、平滑な表面を有する金属（例えばアルミニウム）基板上に支持された厚さ約１．５ｍｍの薄板ガラス鏡である。前記基板は、図５に示された小型トラス鏡パネル組立体５０におけるトラス上弦材として効果的に機能するように形成された所望の厚さを有している。別の実施形態では、構造基板５２は省かれてよい。基板５２、及び基板によって支持される薄板鏡５１に加えて、パネル組立体５０の他の基本的な構成要素は、図３，４及び５に示されたバッカー（backer）６０である。バッカー６０は、パネル組立体５０のトラス態様における下弦材及びストラット、又は斜材（レーシング）として機能するように形成されている。
【００２８】
バッカー６０は、例えばアルミニウム板又はステンレス鋼板のようなバッカー板６１によって形成されており、前記バッカー板６１は一つの模範的実施形態では厚さ０．０２０インチのアルミニウム板である。バッカー６０は、複数の立上り部６４を形成するために順送型のセットを使用することにより形作られ、前記複数の立上り部６４はその基部でバッカー板６１に一体的に接続されたものである。すなわち、立上り部６４がトラス斜材として機能するのに対して、バッカー板６１の、立上り部６４以外の残りの部分又は下側部分は、トラス下弦材として機能する。図３に示されているように一つの実施形態では、立上り部６４はバッカー板６１に一体的に結合され、そしてこのバッカー板６１から上方に向かって曲げられることにより、バッカー板６１の開口６２が形成される。或いは、立上り部６４は別個に形成されて、例えば溶接又は接着によりバッカー板６１に結合されてもよい。立上り部６４は、バッカー板６１の全長及び全幅にわたってそれぞれ規則的な間隔を置いた行及び列を成して配列されている。立上り部６４は、図４において、列方向で見た状態で側面図で示されており、図５において行方向で見た状態で正面図又は端面図で示されている。一実施形態において、立上り部の基部間の間隔は、列方向（図４）では約１．２４６インチであり、また行方向（図５）では約０．３３７インチである。立上り部の基部幅は約１．１インチである。立上り部の高さ（図４）は約０．８５２インチである。もちろん、本発明の実施形態は上記寸法によって制限されることはなく、他の実施形態では、立上り部６４は任意の他の適切な寸法を有し得る。立上り部の頂部幅は立上り部の基部幅と実質的に等しいことが好ましい。立上り部６４の基部と頂端部との間の部分は、立上り部６４の本体６５である。一実施形態によれば、それぞれの列において、いくつかの立上り部６４の本体６５は共通の平面内にあり、そしてこれらのいくつかの列の平面は互いに平行である。模範的実施形態によれば、これらの平面のそれぞれは立上り部６４の基部において、立上り部６４が形成されているバッカー板６１の平面に対して垂直である。
【００２９】
図５は行方向で見たとき、それぞれの立上り部本体６５が、立上り部６４の幅が中間高さのところでその基部の幅よりも小さいという点において、その基部と頂部との間に「砂時計」形状を有することを示している。一実施形態では、立上り部の中間高さの幅は約０．５インチである。それぞれの立上り部６４の中間高さから基部及び頂部双方の端部までの側縁部は図５に示されているように真直ぐであることが好ましい。
【００３０】
それぞれの立上り部６４の頂端部は、立上り部６４の高さに対して垂直な共通平面内で一対の結合タブ又は結合パッド６６及び６７を形成するように形成されている。パッド６６及び６７は、立上り部６４から互いに反対方向に延びている。一実施形態では、パッド６６は立上り部６４の後方に向かって（図４で見て左側へ）延びており、そしてパッド６７は立上り部６４の前方に向かって（図４で見て右側へ）延びている。一実施形態では、各パッドの幅はその立上り部６４の基本平面に対して垂直方向で約０．１５インチである。パッド６６及び６７の頂面は、パネル組立体５０の最終製作の途中で、鏡の基板６２の裏面に例えば接着によって立上り部６４が固定されるのを可能にする。
【００３１】
立上り部本体６５の「砂時計」形状によって生み出された立上り部６４の勾配付き側縁部は、立上り部の基部とバッカー板６１との結合部における応力集中を低減する上で望ましい。応力集中は種々の理由からバッカーの立上り部の基部に発生し得る。これらの理由には、上述のように完成済パネル組立体５０が、トラフ型太陽熱集中装置アレイの形態を成すパラボラ湾曲状円筒形鏡の区画を形成するために使用されるようになっている場合、バッカー６０がバッカー６０の列方向で湾曲させられるという理由が含まれる。パネル組立体５０のこのような湾曲は、曲率半径７０によって図５に概略的に示されている。この曲率半径は、パネル組立体５０の全幅にわたって場所に応じて長さが変化することがある。
【００３２】
図３及び４に、そして図５にも示されたバッカー６０の形成済の組み立て準備ができた状態において、バッカー板６１は、バッカー板の列方向に延びる複数のリブ又は波形部６８を形成することができる。リブ６８はバッカー板６１において上方に向かって延びている。各々のリブ６８は、立上り部６４のそれぞれの列において、立上り部６４の基端部のすぐ前方に配置されている。各リブ６８の、バッカー板６１の隣接する表面の上方に位置する頂点高さは、一実施形態では約０．０８インチである。リブ６８は、リブ６８の方向でバッカー６０に加えられる圧縮下弦材荷重下の撓みに対して、バッカー６０を補剛する。パネル組立体５０の上弦材の圧縮弦材荷重撓みは、基板５２の厚さによって抵抗され、前記基板５２の厚さは、これを目的としてバッカー板６１よりも厚いことが可能である。またバッカー６０のこのような状態において、鉛直方向の剛性を、立上り部材料内の細長いくぼみ６９として立上り部６４に提供することができる。くぼみ６９は、模範的実施形態では、立上り部高さの２分の１よりも大きい鉛直方向の長さを有しており、そしてこれらは、好ましくは立上り部６４の高さの中心に配置されている。弦材荷重又はパネル組立体圧縮荷重がパネル組立体使用時に低いことが予測される場合には、リブ６８及びくぼみ６９を省略することができる。
【００３３】
図５は、完全に製作済のパネル組立体５０が鏡支持フレーム、例えば図２に示されたトラフ・フレーム３０、及び／又は２００９年８月２５日付けで発行された米国特許第７５７８１０９号明細書（これは引用することにより本明細書中に組み込まれる）に記載されたＶ型トップの種類の太陽熱トラフ鏡支持フレームにどのように取り付けられ得るかを示している。湾曲状鏡パネル組立体５０を効率的に取り付けて支持するために、鏡支持フレームは、長手方向に延びる複数の鏡支持管をフレーム全幅にわたって所定の間隔を置いた場所に好適に含む。これらの管は好ましくはアルミニウム押し出し材によって形成される。図５において、フレーム鏡支持管、又はフレーム・ストリンガが符号７５で示されている。ストリンガ７５は、一部が図５に示されている角管部分を含む。角管部分の頂部から、実質的に同一平面上にある側方フランジ７６が、互いに反対方向に延びている。フランジ７６は、フレームに対するパネル組立体５０の結合を容易にする鏡支持フレームの構造的特徴部を形成する。
【００３４】
図５に示されているように、立上り部６４の本体６５が「砂時計」形状を有しているので、それぞれの立上り部列６４の隣接する立上り部６４間には、略六角形の空間が形成される。パネル組立体５０の行方向において、これらの六角形空間が直線状に整列されて、それぞれ隣接する２つの立上り部６４行間に六角形断面形状のギャラリ７７を形成する。パネル組立体をフレーム・ストリンガ７５に結合するために、パネル組立体５０がフレーム・ストリンガ７５に適切に隣接して配置されたとき、フレーム・ストリンガ７５の隣接する表面は、好ましく三つのギャラリ７７（すなわち真ん中のギャラリと２つの側方ギャラリ）に対しており、それぞれの側方ギャラリがストリンガ側方フランジ７６のそれぞれ一つに隣接する。一実施形態では、各側方ギャラリ内には押え棒７８が存在し、この押え棒７８は、そのギャラリの長さに沿って延びている。しかし本発明の他の実施形態では、パネル組立体５０に設けられる、フレーム・ストリンガ７５のそれぞれに対応する押え棒７８の数は、用途に応じて変化してよい。押え棒７８は好ましくは、支持基板５２を介して鏡板５１に結合するためにバッカー６０が成形型内に配置される前に、それぞれの受容ギャラリ内へ挿入される（米国特許出願公開第２００９／０１０１１９５号明細書（引用することにより本明細書中に組み込まれる）、段落００７９〜００８５）参照）。
【００３５】
各押え棒７８は、六角形ギャラリ７７の断面形状と同様の外部形状を有しているが、押え棒７８の側面と隣接する立上り部６４の側縁部との間にはいくらかの空隙がある。この空隙は、バッカー６０が成形型の湾曲に一致するように成形型内で撓むとき、立上り部６４の上端部が互いの方に向かって動くことを可能にする。押え棒７８は断面が中実であってよいが、その棒の重量及び費用を軽減するために中空であることが好ましい。押え棒７８は、一つの典型的実施形態においてアルミニウム押し出し材である。
【００３６】
図５に示された立上り部６４の行間の押え棒７８の配列は、フレーム・ストリンガ７５に隣接して位置決めされることになるパネル組立体５０の各個所で繰り返されてよい。適切なときに、例えば押え棒７８を六角形ギャラリ内に配置する前、又はパネル組立体５０をその成形型から取り出した後に、各押え棒７８の長さに沿った、所定の間隔を置いたいくつかの個所のそれぞれにおいて、ねじ穴（雌ねじ）７９がバッカー板６１を通して、押え棒７８の隣接する部分内に形成される。それぞれの穴７９に対して、好ましくは雌ねじが形成されていない対応する穴８０が、適切な個所で関係するストリンガ・フランジ７６を貫通して形成される。一つの実施形態では、パネル組立体５０を支持フレームに確実に保持するために、フランジ穴８０を貫通して押え棒の穴７９内にねじ込まれるボルト８１を使用することにより、完成済のパネル組立体５０が鏡支持フレームに固定される。必要に応じて、弾性ワッシャ、Ｏリング、又はガスケット部材８３が、バッカー板６１の底面と隣接するストリンガ・フランジ７６との間に各ボルト８１と連携して配置されてよい。また、必要に応じて、各々のボルトの頭部と、フランジ７６の隣接面との間にワッシャ（図示せず）が配置され得る。
【００３７】
パネル組立体５０の薄板鏡を形成するために使用される材料と調和して、パネル組立体５０の構成要素（すなわちその鏡の基板５２及びバッカー６０）が、鏡取付用ストリンガ、並びに鏡支持フレームの他の構成要素の熱膨張係数とできる限り一致する熱膨張係数を有する材料によって形成されることが好ましい。熱膨張係数のこのような整合により、パネル組立体が被る熱関連力は最小限になる。このような力は、パネル組立体及びその支持構造が温度変化を被るのに伴って、パネル組立体の形状変化を招く。パネル組立体の形状の変化、特に鏡の曲率の変化は、鏡の設計焦点（又は焦線）に配置された熱収集器上に、反射太陽光を鋭く集束する能力を鏡から失わせるおそれがある。
【００３８】
図６を参照すると、本発明の別の実施形態による薄板パネル組立体１００が、バッカー１１０と、基板１２０と、基板１２０の上面に取り付けられた薄板１３０とを含んでいる。薄板１３０は、前述の薄板鏡５１と同様の反射薄板、例えば薄板ガラス鏡又は薄膜鏡であってよい。バッカー１１０は、ポリカーボネート板又は任意のその他の適切な材料であってよい。さらにバッカー１１０は、バッカー１１０の上面から基板１２０に向かって延びる複数のリブ１１５を含んでいる。リブ１１５は一つの実施形態では、実質的に方形断面形状を有し、そしてパネル組立体１００の長手方向に延びている。基板１２０は、ポリカーボネート板又は任意のその他の適切な材料であってよい。基板１２０はまた、基板１２０の底面からバッカー１１０へ向かって延びる複数の突出部１２５を含んでいる。突出部１２５は一実施形態において、実質的に方形断面形状を有し、そしてパネル組立体１００の長手方向に延びている。さらに、突出部１２５は、対応する突出部１２５とリブ１１５とを互いに結合するために、リブ１１５のそれぞれのものの場所に対応する場所に配置されている。一実施形態では、図６に示されているように、突出部１２５のそれぞれは、カップ形突出部１２６をその下端部に有しており、そしてこのカップ形突出部内には、複数のリブ１１５のうちの対応する一つのリブの上端部を受容するように形成されたスロット１２８を有する。すなわち、噛み合う長手方向の継ぎ手を形成するために、リブ１１５は、突出部１２５のうちの対応する突出部のスロット１２８内に結合される。一実施形態によれば、リブ１１５は、溶剤又は他の適切な接着剤又は装置によって、対応する突出部１２５に取り付けられる。
【００３９】
前述されて図５に示されたパネル組立体５０と同様に、薄板パネル組立体１００も、鏡支持フレーム、例えば図２に示されたトラフ・フレーム３０、及び／又は２００９年８月２５日付けで発行された米国特許第７５７８１０９号明細書（これは引用することにより本明細書中に組み込まれる）に記載されたＶ型トップの種類の太陽熱トラフ鏡支持フレームに取り付けられた湾曲状鏡パネル組立体であってよい。湾曲状鏡パネル組立体１００を効率的に取り付けて支持するために、鏡支持フレームは、フレーム全幅にわたって所定の間隔を置いた場所で、例えば上記ストリンガ７５のような長手方向に延びる鏡支持管を好適に含む。薄板パネル組立体１００は、一実施形態では、中立面１４０に沿って湾曲しており、上述のように、完成済パネル組立体１００は、トラフ型太陽熱集中装置アレイの形態を成すパラボラ湾曲状円筒形鏡の区画を形成するために使用されるようになっている。パネル組立体１００のこのような湾曲は、曲率半径１４５によって図６に概略的に示されている。この曲率半径は、パネル組立体１００の全幅にわたって場所に応じて長さが変化してよい。
【００４０】
図面及び添付の説明は、ソーラーコレクタ・トラフに適用される薄板パネル組立体の実施形態を例示しているが、本発明の他の実施形態において代わりの構造、サイズ、形状、及び／又は材料を利用して、本発明の薄板パネル組立体の新規態様を実施してもよいことは明らかである。例えば本発明による薄板パネル組立体のいくつかの実施形態において、薄板パネル組立体５０に関連して薄板５１として上述したような薄板パネルが反射パネルでなく、装飾性、強度、又はその他を目的とした別の材料から形成されていてもよい。薄板パネル組立体の実施形態は、限定するものではないが、例えばソーラー発電、科学、構造的又は装飾的アーキテクチャ及び産業のような任意の市場部門に適用され得る。
【００４１】
前述の説明は、本発明の種々の実施形態を参照しながら提示したものである。本発明が関連する技術分野の当業者には明らかなように、本発明の原理、思想、及び範囲を大幅に逸脱することなしに、前記構造及び操作方法の改変及び変更を加えることができる。
【図１】
2013508668.tif 000003
【図２】
2013508668.tif 000004
【図３】
2013508668.tif 000005
【図４】
2013508668.tif 000006
【図５】
2013508668.tif 000007
【図６】
2013508668.tif 000008
【手続補正書】
【提出日】平成23年8月23日(2011.8.23)
【手続補正１】
【補正対象書類名】明細書
【補正対象項目名】００２８
【補正方法】変更
【補正の内容】
【００２８】
バッカー６０は、例えばアルミニウム板又はステンレス鋼板のようなバッカー板６１によって形成されており、前記バッカー板６１は一つの模範的実施形態では厚さ０．５１ｍｍ（０．０２０ｉｎ）のアルミニウム板である。バッカー６０は、複数の立上り部６４を形成するために順送型のセットを使用することにより形作られ、前記複数の立上り部６４はその基部でバッカー板６１に一体的に接続されたものである。すなわち、立上り部６４がトラス斜材として機能するのに対して、バッカー板６１の、立上り部６４以外の残りの部分又は下側部分は、トラス下弦材として機能する。図３に示されているように一つの実施形態では、立上り部６４はバッカー板６１に一体的に結合され、そしてこのバッカー板６１から上方に向かって曲げられることにより、バッカー板６１の開口６２が形成される。或いは、立上り部６４は別個に形成されて、例えば溶接又は接着によりバッカー板６１に結合されてもよい。立上り部６４は、バッカー板６１の全長及び全幅にわたってそれぞれ規則的な間隔を置いた行及び列を成して配列されている。立上り部６４は、図４において、列方向で見た状態で側面図で示されており、図５において行方向で見た状態で正面図又は端面図で示されている。一実施形態において、立上り部の基部間の間隔は、列方向（図４）では約３１．６ｍｍ（１．２４６ｉｎ）であり、また行方向（図５）では約８．５６ｍｍ（０．３３７ｉｎ）である。立上り部の基部幅は約２７．９ｍｍ（１．１ｉｎ）である。立上り部の高さ（図４）は約２１．６ｍｍ（０．８５２ｉｎ）である。もちろん、本発明の実施形態は上記寸法によって制限されることはなく、他の実施形態では、立上り部６４は任意の他の適切な寸法を有し得る。立上り部の頂部幅は立上り部の基部幅と実質的に等しいことが好ましい。立上り部６４の基部と頂端部との間の部分は、立上り部６４の本体６５である。一実施形態によれば、それぞれの列において、いくつかの立上り部６４の本体６５は共通の平面内にあり、そしてこれらのいくつかの列の平面は互いに平行である。模範的実施形態によれば、これらの平面のそれぞれは立上り部６４の基部において、立上り部６４が形成されているバッカー板６１の平面に対して垂直である。
【手続補正２】
【補正対象書類名】明細書
【補正対象項目名】００２９
【補正方法】変更
【補正の内容】
【００２９】
図５は行方向で見たとき、それぞれの立上り部本体６５が、立上り部６４の幅が中間高さのところでその基部の幅よりも小さいという点において、その基部と頂部との間に「砂時計」形状を有することを示している。一実施形態では、立上り部の中間高さの幅は約１２．７ｍｍ（０．５ｉｎ）である。それぞれの立上り部６４の中間高さから基部及び頂部双方の端部までの側縁部は図５に示されているように真直ぐであることが好ましい。
【手続補正３】
【補正対象書類名】明細書
【補正対象項目名】００３０
【補正方法】変更
【補正の内容】
【００３０】
それぞれの立上り部６４の頂端部は、立上り部６４の高さに対して垂直な共通平面内で一対の結合タブ又は結合パッド６６及び６７を形成するように形成されている。パッド６６及び６７は、立上り部６４から互いに反対方向に延びている。一実施形態では、パッド６６は立上り部６４の後方に向かって（図４で見て左側へ）延びており、そしてパッド６７は立上り部６４の前方に向かって（図４で見て右側へ）延びている。一実施形態では、各パッドの幅はその立上り部６４の基本平面に対して垂直方向で約３．８ｍｍ（０．１５ｉｎ）である。パッド６６及び６７の頂面は、パネル組立体５０の最終製作の途中で、鏡の基板６２の裏面に例えば接着によって立上り部６４が固定されるのを可能にする。
【手続補正４】
【補正対象書類名】明細書
【補正対象項目名】００３２
【補正方法】変更
【補正の内容】
【００３２】
図３及び４に、そして図５にも示されたバッカー６０の形成済の組み立て準備ができた状態において、バッカー板６１は、バッカー板の列方向に延びる複数のリブ又は波形部６８を形成することができる。リブ６８はバッカー板６１において上方に向かって延びている。各々のリブ６８は、立上り部６４のそれぞれの列において、立上り部６４の基端部のすぐ前方に配置されている。各リブ６８の、バッカー板６１の隣接する表面の上方に位置する頂点高さは、一実施形態では約２．０ｍｍ（０．０８ｉｎ）である。リブ６８は、リブ６８の方向でバッカー６０に加えられる圧縮下弦材荷重下の撓みに対して、バッカー６０を補剛する。パネル組立体５０の上弦材の圧縮弦材荷重撓みは、基板５２の厚さによって抵抗され、前記基板５２の厚さは、これを目的としてバッカー板６１よりも厚いことが可能である。またバッカー６０のこのような状態において、鉛直方向の剛性を、立上り部材料内の細長いくぼみ６９として立上り部６４に提供することができる。くぼみ６９は、模範的実施形態では、立上り部高さの２分の１よりも大きい鉛直方向の長さを有しており、そしてこれらは、好ましくは立上り部６４の高さの中心に配置されている。弦材荷重又はパネル組立体圧縮荷重がパネル組立体使用時に低いことが予測される場合には、リブ６８及びくぼみ６９を省略することができる。
【手続補正５】
【補正対象書類名】特許請求の範囲
【補正対象項目名】全文
【補正方法】変更
【補正の内容】
【特許請求の範囲】
【請求項１】
トラスとして形成され、非剛性の薄板構成要素を有する、実質的に剛性の薄板パネル組立体であって、該薄板パネル組立体が、選択された平面状の領域及び形状を有する、前記トラスの第１弦材である前記薄板構成要素と、前記薄板構成要素と実質的に同様の平面状の形状及び領域を有する、前記トラスの第２弦材であるバッカーと、それぞれが前記バッカーから前記薄板構成要素の裏面に結合された遠位端部まで延びる選択された高さ及び構造形を有する複数の立上り要素とを具備し、前記バッカーはバッカー板によって形成されており、前記立上り要素の各々はバッカー板のそれぞれの部分から形成されており、前記バッカー板のそれぞれの部分は、前記バッカー板から折り曲げられてそれぞれの開口をその中に形成するとともに前記バッカー板との一体的な結合部を有しており、前記立上り要素は、前記トラスの斜材であって、前記薄板構成要素の選択された方向で該組立体に実質的な剛性を生み出す配列で形成及び配設されており、該薄板パネル組立体は棒部材をさらに具備し、前記棒部材は、前記バッカーに結合され、前記複数の立上り要素のうちの少なくとも一対の隣接する立上り要素間で、前記薄板構成要素の前記裏面に実質的に平行な方向に延びている、薄板パネル組立体。
【請求項２】
前記複数の立上り要素は、前記バッカーから実質的に均一な高さを有している、請求項１に記載の薄板パネル組立体。
【請求項３】
前記薄板構成要素の表面がパラボラ円筒形凹面状湾曲を有している、請求項２に記載の薄板パネル組立体。
【請求項４】
前記薄板構成要素がガラス層を含む、請求項１に記載の薄板パネル組立体。
【請求項５】
前記立上り要素を形成する前記バッカー板の部分は、実質的に砂時計形の形状を有しており、前記バッカー板との一体的な結合部は、前記砂時計形の形状の基部にある、請求項１に記載の薄板パネル組立体。
【請求項６】
前記立上り要素と前記バッカー板との前記一体的な結合部が実質的に平行な線に沿って離間されており、そして前記立上り要素は実質的に平行な平面内にある、請求項５に記載の薄板パネル組立体。
【請求項７】
前記棒部材は前記実質的に平行な平面の間に延びている、請求項６に記載の薄板パネル組立体。
【請求項８】
前記複数の立上り要素が、その遠位端部に、前記立上り要素の高さから側方に配設された結合タブを形成している、請求項１に記載の薄板パネル組立体。
【請求項９】
前記複数の立上り要素が、その遠位端部に、前記立上り要素の高さから側方に配設された結合タブのそれぞれの対を形成しており、結合タブの各対の前記結合タブが、前記立上り要素の遠位端部から互いに反対方向に延びている、請求項１に記載の薄板パネル組立体。
【請求項１０】
前記バッカー板がアルミニウムを具備する、請求項１に記載の薄板パネル組立体。
【請求項１１】
前記立上り要素の遠位端部と前記薄板構成要素の裏面との結合部が、接合された結合部である、請求項１に記載の薄板パネル組立体。
【請求項１２】
前記薄板構成要素が、主として、選択された合成樹脂材料から成る基板層を含む、請求項１に記載の薄板パネル組立体。
【請求項１３】
前記薄板構成要素が電磁放射線を反射する、請求項１に記載の薄板パネル組立体。
【請求項１４】
前記薄板構成要素が太陽放射線を反射する、請求項１に記載の薄板パネル組立体。
【請求項１５】
前記薄板構成要素の、裏面とは反対側の第１表面が、ソーラー発電施設のレシーバ上に太陽光を導き集中させるための、選択された曲率を有する湾曲反射面の少なくとも一部を含む、請求項１に記載の薄板パネル組立体。
【請求項１６】
前記棒部材が、前記湾曲反射面を支持するトラフ・フレームに取り付け可能である、請求項１５に記載の薄板パネル組立体。
【請求項１７】
前記棒部材が六角形断面形状を有している、請求項１に記載の薄板パネル組立体。
【請求項１８】
薄板パネルを支持するための実質的に剛性の構造形を有する支持構造であって、該支持構造が、バッカー板と、複数の立上り要素とを具備し、前記立上り要素は、前記バッカー板に結合された近位端部から遠位端部へ第１の方向で延びる高さを有するとともに、実質的に平行な立上り平面内の行に沿った長さを有し、前記立上り要素の各々は、バッカー板のそれぞれの部分によって形成されており、前記バッカー板のそれぞれの部分は、前記バッカー板から折り曲げられてそれぞれの開口をその中に形成するとともに前記バッカー板との一体的な結合部を有しており、前記立上り要素の遠位端部は、前記薄板パネルを支持するために前記薄板パネルに取り付け可能であるとともに、前記立上り平面に対して実質的に平行な第２の方向で前記薄板パネルの剛性を増大させ、前記バッカー板はトラスの第１弦材であるように形成され、前記立上り要素は前記トラスの斜材であるように形成されており、前記薄板パネルは、前記トラスの第２弦材であり、該支持構造は、前記複数の立上り要素のうちの少なくとも一対の隣接する立上り要素間で、前記第１及び第２の方向に対して実質的に垂直な第３の方向に延びる棒部材をさらに具備する、支持構造。
【請求項１９】
前記隣接する立上り要素の対が、前記行のうちの同一行内にある、請求項１８に記載の支持構造。
【請求項２０】
前記立上り要素は、前記バッカー板から折り曲げられて前記バッカー板との一体的な結合部を有するバッカー板の部分によって形成されており、そして前記バッカー板の部分は、実質的に砂時計形の形状を有していて、前記バッカー板との一体的な結合部は、前記砂時計形の形状の基部にある、請求項１８に記載の支持構造。
【請求項２１】
非剛性の薄板構成要素を有する、実質的に剛性の薄板パネル組立体であって、
選択された平面状の領域及び形状を有する前記薄板構成要素と、
前記薄板構成要素と実質的に同様の平面状の形状及び領域を有するバッカーと、を具備し、
前記薄板構成要素が前記バッカーの第１表面に取り付けられており、
前記バッカーは、
前記薄板構成要素に向かって延びる複数のリブを含むバッカー板と、
前記１表面、及び前記第１表面とは反対側の第２表面から前記バッカー板の方へ延びる複数の突出部を含む基板と、を具備し、
前記複数の突出部の各々は、前記リブの対応する一つのリブと噛み合い継手を形成しており、前記突出部又は前記リブの対応する一つのリブは、前記突出部又は前記リブの対応する一つのリブの他方の遠位端部に設けられたスロット内に受容される、実質的に剛性の薄板パネル組立体。
【請求項２２】
前記薄板構成要素の表面が、ソーラー発電施設のレシーバ上に太陽光を導き集中させるための、選択された曲率を有する湾曲反射面の少なくとも一部を含む、請求項２１に記載の薄板パネル組立体。
【請求項２３】
トラスとして形成され、非剛性の薄板構成要素を有する、実質的に剛性の薄板パネル組立体であって、該薄板パネル組立体が、選択された平面状の領域及び形状を有する、前記トラスの第１弦材である前記薄板構成要素と、前記薄板構成要素と実質的に同様の平面状の形状及び領域を有する、前記トラスの第２弦材であるバッカーと、それぞれが前記バッカーから前記薄板構成要素の裏面に結合された遠位端部まで延びる選択された高さ及び構造形を有する複数の立上り要素とを具備し、前記バッカーはバッカー板によって形成されており、前記立上り要素は実質的に砂時計形の形状を有する前記バッカー板の部分によって形成されており、前記バッカー板の部分は、前記バッカー板から折り曲げられてその中に開口を形成するとともに、前記砂時計形の形状の基部に前記バッカー板との一体的結合部を有しており、前記立上り要素は、前記トラスの斜材であって、前記薄板構成要素の選択された方向で該組立体に実質的な剛性を生み出す配列で形成及び配設されている、薄板パネル組立体。
【請求項２４】
トラスとして形成され、非剛性の薄板構成要素を有する、実質的に剛性の薄板パネル組立体であって、該薄板パネル組立体が、選択された平面状の領域及び形状を有する、前記トラスの第１弦材である前記薄板構成要素と、前記薄板構成要素と実質的に同様の平面状の形状及び領域を有する、前記トラスの第２弦材であるバッカーと、それぞれが前記バッカーから前記薄板構成要素の裏面に結合された遠位端部まで延びる選択された高さ及び構造形を有する複数の立上り要素とを具備し、前記バッカーはバッカー板によって形成されており、前記立上り要素の各々はバッカー板のそれぞれの部分によって形成されており、前記バッカー板のそれぞれの部分は、前記バッカー板から折り曲げられてそれぞれの開口をその中に形成するとともに前記バッカー板との一体的な結合部を有しており、前記立上り要素の各々は、その遠位端部に、前記立上り要素の高さから側方に配設された一対の結合タブを形成しており、前記一対の結合タブの前記結合タブは、それぞれの立ち上がり要素の遠位端部から互いに反対方向に延びており、前記立ち上がり要素は、前記トラスの斜材であって、前記薄板構成要素の選択された方向で該組立体に実質的な剛性を生み出す配列で形成及び配設されている、薄板パネル組立体。
【国際調査報告】
2013508668.tif 000009
2013508668.tif 000010
2013508668.tif 000011